(57)【要約】【課題】光無線リンクを通じてW-LANシステム及び3G移動通信網を連動するネットワークシステム、及び該システム構成により、3G移動通信網とW-LANシステムのネットワークとの間の移動時における認証方法を提供する。【解決手段】所定の移動端末に関する音声呼処理のために公衆電話網(PSTN)407と接続される音声信号処理網(408,409)と、該移動端末に対するデータ通信のためのパケットデータ網(401,403〜406)と、該移動端末との通信のための終端装置(410、411-1〜n）と、を含む3G移動通信網と、3G移動通信網のパケットデータ網(405)に接続されて移動端末に対するW-LANサービスを提供するW-LANシステムと、を含み、W-LANシステムは、3G移動通信網に含まれる基地局装置411(411-1〜n)で、光無線（RoF）リンクを通じて実行される。【選択図】 図４
2006229991.tif 000002
【特許請求の範囲】
【請求項１】
光無線リンクを通じてＷ-ＬＡＮ及び３Ｇ移動通信網を連動するためのネットワークシステムであって、
所定の移動端末に関する音声呼処理のために公衆電話網(ＰＳＴＮ)と接続される音声信号処理網と、前記所定の移動端末に対するデータ通信のためのパケットデータ網と、前記所定の移動端末との通信のための終端装置と、を含む３Ｇ移動通信網と、
前記３Ｇ移動通信網のパケットデータ網に接続されて前記所定の移動端末にＷ-ＬＡＮサービスを提供するＷ-ＬＡＮシステムと、を含み、
前記Ｗ-ＬＡＮシステムは、前記３Ｇ移動通信網に含まれる基地局装置で、光無線リンクを通じて実行される
ことを特徴とするネットワークシステム。
【請求項２】
前記パケットデータ網は、
前記Ｗ-ＬＡＮシステム及び前記パケットデータ網に含まれる装置らのＩＰ(Ｉｎｔｅｒｎｅｔ  Ｐｒｏｔｏｃｏｌ)アドレスの管理を行うために、インターネットに接続されるＤＨＣＰ(Ｄｙｎａｍｉｃ  Ｈｏｓｔ  Ｃｏｎｆｉｇｕｒａｔｉｏｎ  Ｐｒｏｔｏｃｏｌ)  Ｗ-ＬＡＮ−ＡＡＡサーバ（ＤＨＣＰサーバ）と、
前記パケットデータ網と前記Ｗ-ＬＡＮシステムのパケットデータサービスのために、前記所定の移動端末に関しての認証及び位置管理を遂行するための認証(ＡＡＡ)サーバ/ＨＡ(Ｈｏｍｅ  Ａｇｅｎｔ)と、
前記パケットデータ網のパケットデータサービスを提供するために、前記ＡＡＡサーバ/ＨＡと前記パケットデータ網とに連動する３Ｇコアネットワークと、
前記終端装置と前記パケットデータ網とを接続するために、前記３Ｇコアネットワークと接続されるＰＤＳＮ(Ｐａｃｋｅｔ  Ｄａｔａ  Ｓｅｒｖｉｃｅ  Ｎｏｄｅ)と、
を含むことを特徴とする請求項１記載のネットワークシステム。
【請求項３】
前記インターネット及び前記ＰＤＳＮと接続され、前記Ｗ-ＬＡＮシステムからのＷ-ＬＡＮサービス要求によるデータ処理のために、前記３Ｇコアネットワークの経路とは異なる経路を有するルータをさらに含む
ことを特徴とする請求項２記載のネットワークシステム。
【請求項４】
前記終端装置は、
前記所定の移動端末に対する音声通話のための接続及びデータ通信のための接続を遂行する、前記複数の基地局装置(ＢＴＳ)と、
前記複数の基地局装置を制御するために、前記音声信号処理網及び前記パケットデータ網と接続される基地局制御装置(ＢＳＣ)と、
を含むことを特徴とする請求項１乃至３のいずれか１項に記載のネットワークシステム。 
【請求項５】
前記光無線リンクを通じて前記基地局装置らで実行される前記Ｗ-ＬＡＮシステムは、前記基地局装置らと前記Ｗ-ＬＡＮサービスを遂行するＷ-ＬＡＮ  ＡＰ(Ａｃｃｅｓｓ  Ｐｏｉｎｔ)らとを、光無線リンクを通じて接続することによって実行される
ことを特徴とする請求項４記載のネットワークシステム。
【請求項６】
前記Ｗ-ＬＡＮ及び３Ｇ移動通信網を連動させるために、前記所定の移動端末の移動によりサービスが変更される場合に、認証及び課金のために前記ＰＤＳＮ及び前記ＢＳＣが共有される
ことを特徴とする請求項２又は３に記載のネットワークシステム。
【請求項７】
ネットワーク内に含まれた、３Ｇ移動通信網（ネットワーク）とＷ-ＬＡＮシステムのネットワークとのネットワーク間の移動時における認証方法であって、
前記３Ｇ移動通信ネットワークは、所定の移動端末に関する音声呼処理のために公衆電話網(ＰＳＴＮ)と接続される音声信号処理網と、前記所定の移動端末に対するデータ通信のためのパケットデータ網と、前記所定の移動端末との通信のための終端装置と、を含み、
前記Ｗ-ＬＡＮシステムは、前記３Ｇ移動通信ネットワークに含まれる基地局装置で、光無線リンクを通じて実行されることにより、前記３Ｇ移動通信ネットワークのパケットデータ網に接続され、前記所定の移動端末にＷ-ＬＡＮサービスを提供する構成とされ、
前記所定の移動端末が前記３Ｇ移動通信ネットワークのセル領域から前記Ｗ-ＬＡＮシステムによるＷ-ＬＡＮ  ＡＰのセル領域にアクセスする場合に、当該所定の移動端末に関して、前記３Ｇ移動通信ネットワークを通じて受信されたデータサービスを前記Ｗ-ＬＡＮシステムで受け入れるための設定動作を遂行する第１のステップと、
前記設定動作により前記所定の移動端末と前記Ｗ-ＬＡＮシステムとの関連付け(Ａｓｓｏｃｉａｔｉｏｎ）がなされると、前記Ｗ-ＬＡＮシステムのプロトコルを通じて前記所定の移動端末と前記基地局装置との間の通信を確立する第２のステップと、
前記Ｗ-ＬＡＮシステムのプロトコルに従って、前記基地局装置を通じて、前記パケットデータ網に前記所定の移動端末を接続する第３のステップと、
前記接続が遂行された後に、前記パケットデータ網を通じて当該ＩＰの使用についての応答を受信し、該ＩＰの使用について認証を行う第４のステップと、
前記認証に従って課金を開始し、前記Ｗ-ＬＡＮシステムによって前記データサービスを受け入れる第５のステップと、
を有することを特徴とするネットワーク間の移動時の認証方法。
【請求項８】
前記Ｗ-ＬＡＮシステムのプロトコルは、８０２．１ｘ方式のプロトコルである
ことを特徴とする請求項７記載のネットワーク間の移動時の認証方法。
【請求項９】
ネットワーク内に含まれた、３Ｇ移動通信網（ネットワーク）とＷ-ＬＡＮシステムのネットワークとのネットワーク間の移動時における認証方法であって、
前記３Ｇ移動通信ネットワークは、所定の移動端末に関する音声呼処理のために公衆電話網(ＰＳＴＮ)と接続される音声信号処理網と、前記所定の移動端末に対するデータ通信のためのパケットデータ網と、前記所定の移動端末との通信のための終端装置と、を含み、
前記Ｗ-ＬＡＮシステムは、前記３Ｇ移動通信ネットワークに含まれる基地局装置で、光無線リンクを通じて実行されることにより、前記３Ｇ移動通信ネットワークのパケットデータ網に接続され、前記所定の移動端末にＷ-ＬＡＮサービスを提供する構成とされ、
前記所定の移動端末がＷ-ＬＡＮ  ＡＰのセル領域から外れて前記３Ｇ移動通信ネットワークのセル領域にアクセスする場合に、前記所定の移動端末からの要求により、前記３Ｇ移動通信ネットワークのＨＡ（Home Agent）に前記移動端末の位置移動を通知し、前記３Ｇ移動通信ネットワークの前記パケットデータ網を使用するためのチャンネル設定を遂行する第１のステップと、
前記チャンネル設定に従って、認証サーバを通じて前記パケットデータ網のための接続要求を伝送し、該接続要求に対する応答を受信する第２のステップと、
前記第２のステップの遂行後に、前記所定の移動端末と前記パケットデータ網のパケットデータサービスノード（ＰＤＳＮ）との間でＰＰＰ(Ｐｏｉｎｔ-ｔｏ-Ｐｏｉｎｔ  Ｐｒｏｔｏｃｏｌ)による接続を確立する第３のステップと、
前記移動端末が、前記３Ｇ移動通信ネットワークのサービスのための認証要求を、前記パケットデータ網の前記ＰＤＳＮに送信し、該認証要求に対する応答を受信する第４のステップと、
前記認証に従って課金を開始し、前記データサービスを前記Ｗ-ＬＡＮシステムによって受け入れる第５のステップと、
を有することを特徴とするネットワーク間の移動時の認証方法。
【発明の詳細な説明】
【技術分野】
【０００１】
本発明は、Ｗ-ＬＡＮと第３世代(３ｒｄ-Ｇｅｎｅｒａｔｉｏｎ；３Ｇ)移動通信網とが連動するネットワークシステムに関し、特に、光無線リンク（Ｒａｄｉｏ−ｏｖｅｒ−Ｆｉｂｅｒ  （ＲｏＦ）  ｌｉｎｋ）を通じてＷ-ＬＡＮ及び３Ｇ移動通信網を連動させるためのネットワークシステムに関する。
【背景技術】
【０００２】
近年における無線インターネットサービス及びＷ-ＬＡＮ(Ｗｉｒｅｌｅｓｓ  Ｌｏｃａｌ  Ａｒｅａ  Ｎｅｔｗｏｒｋ)の活性化に伴い、第３世代(３ｒｄ-Ｇｅｎｅｒａｔｉｏｎ；３Ｇ)移動通信網とＷ-ＬＡＮ網との間のサービスの連動が、産業界の大きな関心を集めている。
【０００３】
ここで、Ｗ-ＬＡＮサービスは、高い伝送速度を提供する反面、サービスの領域(ｃｏｖｅｒａｇｅ）が狭く、移動性が制限されるという問題点を有する。これに対して、３Ｇ(例えばＣＤＭＡ-２０００やＵＭＴＳ）サービスは、サービス領域が広くかつ移動性が保障される反面、データの伝送速度がＷ-ＬＡＮサービスよりも相対的に落ち、かつ、コストが高いという問題点を有する。
【０００４】
上記のような理由により、Ｗ-ＬＡＮシステムと３Ｇシステムとを連動させることは、それぞれのシステムの長所を活かすことにより、顧客の満足度と取引機会とを創出することができるという点で、大きな意味を有する。このような３ＧシステムとＷ-ＬＡＮシステムの連動のための研究は、継続的に進行している。代表的な連動システムとしては、密結合(ｔｉｇｈｔｌｙ  ｃｏｕｐｌｅｄ)システムと、疎結合(ｌｏｏｓｅｌｙ  ｃｏｕｐｌｅｄ)システムと、が存在する。このうち、密結合の連動システムは、認証などの機能をすべて３Ｇシステムで遂行するように構成される。これに対して、疎結合の連動システムは、３ＧシステムとＷ-ＬＡＮシステムとの各々で、認証などの機能を遂行するように構成される。
【０００５】
図１は、従来の密結合連動方式のＷ-ＬＡＮシステムと３Ｇシステムの連動網を示す構成図である。 
【０００６】
図１に示すように、従来の密結合連動方式のネットワークにおいては、Ｗ-ＬＡＮシステム３００が、パケット通信のためのリモートネットワーク４００と、通信網１０４，１０５，１０６を有する３Ｇコアネットワーク１００と、に接続される形態の構成を有する。 
【０００７】
３Ｇコアネットワーク１００は、インターネット２００に接続されるとともに、ＩＰ(Ｉｎｔｅｒｎｅｔ  Ｐｒｏｔｏｃｏｌ)などを用いてパケット通信ネットワークに接続されるパケットデータサービスノード(Ｐａｃｋｅｔ  Ｄａｔａ  Ｓｅｒｖｉｃｅ  Ｎｏｄｅ：ＰＤＳＮ)１０３を介して、リモートネットワーク４００及びＷ-ＬＡＮシステム３００とリンク(ｌｉｎｋ)される。
【０００８】
リモートネットワーク４００は、移動端末(Ｍｏｂｉｌｅ  Ｓｔａｔｉｏｎ：ＭＳ）１１２との接続を行うための基地局(Ｂａｓｅ  Ｔｒａｎｓｃｅｉｖｅｒ  Ｓｔａｔｉｏｎ：ＢＴＳ)１１１-１，１１１-２と、基地局１１１-１，１１１-２を管理するためのＢＳＣ(Ｂａｓｅ  Ｓｔａｔｉｏｎ  Ｃｏｎｔｒｏｌｌｅｒ)１１０と、ＰＤＳＮ(Ｐａｃｋｅｔ  Ｄａｔａ  Ｓｅｒｖｉｃｅ  Ｎｏｄｅ)１０３との間でデータを送信／受信する場合における、バッファリング機能及び当該移動端末の状態を管理する機能を遂行するためのＰＣＦ(Ｐａｃｋｅｔ  Ｃｏｎｔｒｏｌ  Ｆｕｎｃｔｉｏｎ)１０９と、を含む。 
【０００９】
そして、リモートネットワーク４００は、管理制御局(Ｍｏｂｉｌｅ  Ｓｗｉｔｃｈｉｎｇ  Ｃｅｎｔｅｒ：ＭＳＣ)１０４とＰＳＴＮ(Ｐｕｂｌｉｃ  Ｓｗｉｔｃｈｅｄ  Ｔｅｌｅｐｈｏｎｅ  Ｎｅｔｗｏｒｋ)１０５とを介して、ＨＬＲ(Ｈｏｍｅ  Ｌｏｃａｔｉｏｎ  Ｒｅｇｉｓｔｅｒ)１０６に接続される。
【００１０】
一方、Ｗ-ＬＡＮシステム３００は、ＰＤＳＮ１０３及び３Ｇコアネットワーク１００と接続されるものであって、Ｗ-ＬＡＮサービスのためにＷ-ＬＡＮ端末１１３に接続するための複数のＡＰ(Ａｃｃｅｓｓ  Ｐｏｉｎｔ)１０８-１，１０８-２，１０８-３と、これら複数のＡＰを管理するためのアクセス管理部(Ａｃｃｅｓｓ  Ｃｏｎｔｒｏｌｌｅｒ：ＡＣ)１０７と、を含む。
【００１１】
図１に示されるように、密結合の連動方式では、Ｗ-ＬＡＮシステム３００が３Ｇコアネットワーク１００に接続される形態となっており、かつ、このＷ-ＬＡＮシステム３００は、３Ｇネットワークの一部として動作する。したがって、それぞれの移動端末(ＭＳ)１１２（又はＭＳ１１３）は、網接続環境に従って、３Ｇシステムのリモートネットワーク４００（又はＷ-ＬＡＮシステム３００）を通じて３Ｇサービスを利用する。このため、３ＧネットワークとＷ-ＬＡＮシステム３００のネットワークとの連動のためには、別個の連動(ｉｎｔｅｒｗｏｒｋｉｎｇ)設備が要求され、基本的なサービスの制御及び管理機能は３Ｇ網によって遂行される。すなわち、３Ｇコアネットワーク１００は、位置管理のためのＨＡ(Ｈｏｍｅ  Ａｇｅｎｔ)１０２と、認証，許可，及びアカウンティングのためのＡＡＡ(Ａｕｔｈｅｎｔｉｃａｔｉｏｎ，Ａｕｔｈｏｒｉｚａｔｉｏｎ，ａｎｄ  Ａｃｃｏｕｎｔｉｎｇ)サーバ１０１と、を含む。
【００１２】
図２は、従来の疎結合連動方式のＷ-ＬＡＮシステムと３Ｇシステムの連動網を示す構成図である。
【００１３】
図２に示すように、従来の疎結合連動方式によるＷ-ＬＡＮシステムと３Ｇシステムの連動網は、パケット通信のためのリモートネットワーク４００と、通信網２０４，２０５，２０６を有する３Ｇコアネットワーク１００と、Ｗ-ＬＡＮシステム３００とが、各々独立的に認証などを遂行する形態の構成を有する。
【００１４】
このうち、３Ｇコアネットワーク１００は、インターネット２００に接続されるとともに、ＩＰなどを用いてパケット通信ネットワークに接続するためのＰＤＳＮ２０３を介して、リモートネットワーク４００及びＷ-ＬＡＮシステム３００とリンクされる。なお、図２に示すように、疎結合連動方式の３Ｇコアネットワーク１００も、図１で述べたＨＡ１０１，ＡＡＡサーバ１０２と同一機能を担うＨＡ２０２，ＡＡＡサーバ２０１が含まれる。
【００１５】
リモートネットワーク４００は、移動端末（ＭＳ）２１４と接続するためのＢＴＳ２１２-１，２１２-２と、これらＢＴＳ２１２-１，２１２-２を管理するためのＢＳＣ２１１と、ＰＤＳＮ２０３との間でデータを送信／受信する場合における、バッファリング機能及び当該移動端末の状態を管理する機能を遂行するためのＰＣＦ(Ｐａｃｋｅｔ  Ｃｏｎｔｒｏｌ  Ｆｕｎｃｔｉｏｎ)２１０と、を含む。
【００１６】
そして、リモートネットワーク４００は、管理制御局(ＭＳＣ)２０４とＰＳＴＮ２０５とを介して、ＨＬＲ２０６に接続される。 
【００１７】
一方、Ｗ-ＬＡＮシステム３００’は、ＰＤＳＮ２０３及び３Ｇコアネットワーク１００と接続されるものであって、Ｗ-ＬＡＮサービスのためにＷ-ＬＡＮ端末２１３に接続するための複数のＡＰ(Ａｃｃｅｓｓ  Ｐｏｉｎｔ)２０９-１，２０９-２，２０９-３と、これら複数のＡＰを管理するためのアクセス管理部(ＡＣ)２０７と、Ｗ-ＬＡＮシステム３００の認証のためのＡＡＡサーバ２０８と、を含む。
【００１８】
図２に示されるように、疎結合の連動方式は、３Ｇコアネットワーク１００とＷ-ＬＡＮシステム３００とが、各々独立して運用される形態である。すなわち、疎結合の連動方式では、３Ｇネットワーク１００，４００とＷ-ＬＡＮシステム３００とが各々独立的に作動し、かつ、課金及び認証に関して連動を行うためのインターフェース情報が、これら３Ｇネットワーク１００，４００内に存在するＡＡＡサーバ２０１，２０８にそれぞれ伝送されることによって、連動が実行される。
【００１９】
上述したように、従来のＷ-ＬＡＮシステムと３Ｇシステムの連動網は、密結合の連動方式と疎結合の連動方式とに大別される。
【００２０】
密結合の連動方式は、従来の３Ｇシステムの保安（セキュリティ），認証，及び課金に関する機能を、そのままＷ-ＬＡＮシステムに適用できる、という長所を有している。しかしながら、３Ｇシステムの連動に関するモジュールがＷ-ＬＡＮ端末にすべて搭載されなければならず、かつ、標準化のために必要な時間とコストが増加する。その結果、システムの連動に起因する付加的な投資費用の増加によって、加入者サービスのコストが増加する、という問題点があった。加えて、Ｗ-ＬＡＮシステムが、３Ｇコアネットワークの共有により既存の３Ｇコアを使用するため、既存の３Ｇネットワークの負荷を引き起こしていた。その結果、密結合の連動方式では、既存の３Ｇネットワークシステムが不安定になる、という短所があった。 
【００２１】
これに対して、疎結合の連動方式では、それぞれの独立された網を使用することから、連動に起因して負荷が増加することはない。しかしながら、疎結合の連動方式では、３Ｇネットワークにおいて定義された位置制御，ＱｏＳ(Ｑｕａｌｉｔｙ  ｏｆ  Ｓｅｒｖｉｃｅ)，保安（セキュリティ）などの高度な機能がＷ-ＬＡＮシステムでは支援されないため、Ｗ-ＬＡＮ領域での認証や保安などの問題が常に存在する、という問題点があった。
【００２２】
したがって、より効率的に３Ｇ移動通信網とＷ-ＬＡＮシステムを連動させるためのシステムに関する研究が必要であった。
【発明の開示】
【発明が解決しようとする課題】
【００２３】
したがって、本発明は上記のような問題点を解決するために提案されたものであり、その目的は、光無線リンクを通じてＷ-ＬＡＮシステムが既存の３Ｇ移動通信網と連動する、光無線リンクを用いてＷ-ＬＡＮシステム及び３Ｇ移動通信網を連動させるためのネットワークシステム、及びそのネットワークシステムの構成により、３Ｇ移動通信網（ネットワーク）とＷ-ＬＡＮシステムのネットワークとのネットワーク間の移動時における認証方法を提供することにある。
【００２４】
また、本発明の他の目的は、光無線技術を用いて低コストで高速なデータ伝送が可能なＷ-ＬＡＮシステムと、広いサービス領域の提供が可能な３Ｇ移動通信網との長所を結合して、新たな３Ｇ移動通信網のデータサービス、及びＷ-ＬＡＮシステムの途切れのない(ｓｅａｍｌｅｓｓ)データ伝送を実現可能にする、光無線リンクを通じてＷ-ＬＡＮ及び３Ｇ移動通信網を連動するネットワークシステム、及びそのネットワークシステムの構成によりネットワーク間の移動の際の認証方法を提供することにある。
【課題を解決するための手段】
【００２５】
上記の目的を達成するために、本発明は、光無線リンクを通じてＷ-ＬＡＮ及び３Ｇ移動通信網を連動するためのネットワークシステムであって、所定の移動端末に関する音声呼処理のために公衆電話網(ＰＳＴＮ)と接続される音声信号処理網と、当該移動端末に対するデータ通信のためのパケットデータ網と、当該移動端末との通信のための終端装置と、を含む３Ｇ移動通信網と、前記３Ｇ移動通信網のパケットデータ網に接続され、当該移動端末に対してＷ-ＬＡＮサービスを提供するＷ-ＬＡＮシステムと、を含み、前記Ｗ-ＬＡＮシステムは、前記３Ｇ移動通信網に含まれる基地局装置（ＢＴＳ構造）によって、光無線リンクを通じて実行される。
【００２６】
ここで、３Ｇ移動通信網の終端装置には、所定の移動端末に対する音声通話のための接続及びデータ通信のための接続を遂行する、複数の基地局装置(ＢＴＳ)と、これら複数の基地局装置を制御するために、音声信号処理網及びパケットデータ網と接続される基地局制御装置(ＢＳＣ)と、が含まれる。
【００２７】
また、本発明は、ネットワーク内に含まれた、３Ｇ移動通信網（ネットワーク）とＷ-ＬＡＮシステムのネットワークとのネットワーク間の移動時における認証方法であって、前記３Ｇ移動通信ネットワークは、所定の移動端末に関する音声呼処理のために公衆電話網(ＰＳＴＮ)と接続される音声信号処理網と、前記所定の移動端末に対するデータ通信のためのパケットデータ網と、前記所定の移動端末との通信のための終端装置と、を含み、前記Ｗ-ＬＡＮシステムは、前記３Ｇ移動通信ネットワークに含まれる基地局装置で、光無線リンクを通じて実行されることにより、前記３Ｇ移動通信ネットワークのパケットデータ網に接続され、前記所定の移動端末にＷ-ＬＡＮサービスを提供する構成とされ、前記所定の移動端末が前記３Ｇ移動通信ネットワークのセル領域から前記Ｗ-ＬＡＮシステムによるＷ-ＬＡＮ  ＡＰのセル領域にアクセスする場合に、当該所定の移動端末に関して、前記３Ｇ移動通信ネットワークを通じて受信されたデータサービスを前記Ｗ-ＬＡＮシステムで受け入れるための設定動作を遂行する第１のステップと、前記設定動作により前記所定の移動端末と前記Ｗ-ＬＡＮシステムとの関連付け(Ａｓｓｏｃｉａｔｉｏｎ）がなされると、前記Ｗ-ＬＡＮシステムのプロトコルを通じて前記所定の移動端末と前記基地局装置との間の通信を確立する第２のステップと、前記Ｗ-ＬＡＮシステムのプロトコルに従って、前記基地局装置を通じて、前記パケットデータ網に前記所定の移動端末を接続する第３のステップと、前記接続が遂行された後に、前記パケットデータ網を通じて当該ＩＰの使用についての応答を受信し、該ＩＰの使用について認証を行う第４のステップと、前記認証に従って課金を開始し、前記Ｗ-ＬＡＮシステムによって前記データサービスを受け入れる第５のステップと、を有することを特徴とする。
【００２８】
さらに、本発明は、ネットワーク内に含まれた、３Ｇ移動通信網（ネットワーク）とＷ-ＬＡＮシステムのネットワークとのネットワーク間の移動時における認証方法であって、前記３Ｇ移動通信ネットワークは、所定の移動端末に関する音声呼処理のために公衆電話網(ＰＳＴＮ)と接続される音声信号処理網と、前記所定の移動端末に対するデータ通信のためのパケットデータ網と、前記所定の移動端末との通信のための終端装置と、を含み、前記Ｗ-ＬＡＮシステムは、前記３Ｇ移動通信ネットワークに含まれる基地局装置で、光無線リンクを通じて実行されることにより、前記３Ｇ移動通信ネットワークのパケットデータ網に接続され、前記所定の移動端末にＷ-ＬＡＮサービスを提供する構成とされ、前記所定の移動端末がＷ-ＬＡＮ  ＡＰのセル領域から外れて前記３Ｇ移動通信網のセル領域にアクセスする場合に、前記所定の移動端末からの要求により、前記３Ｇ移動通信網のＨＡ（Home Agent）に前記移動端末の位置移動を通知し、前記３Ｇ移動通信網の前記パケットデータ網を使用するためのチャンネル設定を遂行する第１のステップと、前記チャンネル設定に従って、認証サーバを通じて前記パケットデータ網のための接続要求を伝送し、該接続要求に対する応答を受信する第２のステップと、前記第２のステップの遂行後に、前記所定の移動端末と前記パケットデータ網のパケットデータサービスノード（ＰＤＳＮ）との間でＰＰＰ(Ｐｏｉｎｔ-ｔｏ-Ｐｏｉｎｔ  Ｐｒｏｔｏｃｏｌ)による接続を確立する第３のステップと、前記移動端末が、前記３Ｇ移動通信網のサービスのための認証要求を、前記パケットデータ網の前記ＰＤＳＮに送信し、該認証要求に対する応答を受信する第４のステップと、前記認証に従って課金を開始し、前記データサービスを前記Ｗ-ＬＡＮシステムによって受け入れる第５のステップと、を有することを特徴とする。
【発明の効果】
【００２９】
本発明によれば、光無線(Ｒａｄｉｏ  ｏｖｅｒ  Ｆｉｂｅｒ)リンクを通じてＷ-ＬＡＮ及び３Ｇ移動通信網の連動ネットワーク構造が提供され、それにより、３Ｇ移動通信網のＢＳＣ及びＰＤＳＮの共有を通じて、３Ｇ移動通信網及びＷ-ＬＡＮシステムの連動のための追加的なネットワークを構築する必要なく、それぞれの認証及び保安（セキュリティ）のためのデータの交換を遂行することが可能となる。
【００３０】
また、本発明では、従来の密結合のネットワークにおける連動と同様に、ＡＡＡサーバが共有されるが、Ｗ-ＬＡＮシステムのための別個のルータ経路を設定する。したがって、本発明によれば、３Ｇ移動通信網の共有によって発生するトラフィックの増加によるシステムの不安定を解消することが可能になる。
【発明を実施するための最良の形態】
【００３１】
以下、本発明の望ましい実施形態を添付の図面を参照して詳細に説明する。なお、本発明に関連した公知機能或いは構成に関する具体的な説明が本発明の要旨を不明にすると判断された場合には、その詳細な説明を省略する。
【００３２】
図３は、本発明の実施形態による無線信号の伝送のための光無線リンク（Ｒａｄｉｏ−ｏｖｅｒ−Ｆｉｂｅｒ  （ＲｏＦ）  ｌｉｎｋ）装置を示す構成図である。
【００３３】
図３に示すように、光無線(Ｒａｄｉｏ-ｏｖｅｒ-Ｆｉｂｅｒ：ＲｏＦ)リンクは、光ファイバーを用いて無線信号を伝送するための技術であり、センターサイト(Ｃｅｎｔｅｒ  ｓｉｔｅ)で変調データを生成し、この変調データをリモートサイト(Ｒｅｍｏｔｅ  ｓｉｔｅ）に光伝送し、リモートサイトを通じて無線伝送を行うものである。
【００３４】
その構成についてより詳細に説明すると、センターサイトは、周波数変調のための基底帯域(ｂａｓｅ  ｂａｎｄ)データ３０１を受信し、無線周波数(Ｒａｄｉｏ  Ｆｒｅｑｕｅｎｃｙ：ＲＦ)３０２を用いてＲＦ変調を行うための変調器３１と、ＲＦ変調されたデータ３０３について光変調による電光（Ｅ／Ｏ）変換を遂行して伝送するための電光(Ｅｌｅｃｔｏ-Ｏｐｔｉｃ：Ｅ/Ｏ)変換器３２と、を含む。
【００３５】
リモートサイトは、センターサイトから光線路を通じて受信された光信号３０４を光電変換するための光電(Ｏｐｔｉｃ-Ｅｌｅｃｔｒｏ：Ｏ/Ｅ)変換器３３と、光電変換されたＲＦ変調信号３０５を無線信号として伝送（送出）するためのアンテナＡＮＴと、を含む。
【００３６】
このような光無線（ＲｏＦ)技術によれば、伝送される電気信号の形態（form）と関係なく、光電変換を通じて、光伝送回線上に多様な形態の無線信号を送出することが可能である。加えて、無線を用いるリモート通信で発生する大気中の減衰又は障害物による伝送距離の限界のような短所は、低損失の光ファイバーを使用することによって解消可能である。さらには、この光無線技術は、３Ｇシステムのような移動通信システムに関しても、陰影領域（shadow area）の最小化とサービス領域の拡張を達成することができる長所を有する。
【００３７】
図４は、本発明の実施形態による光無線リンクを通じてＷ-ＬＡＮ及び３Ｇ移動通信網を連動するネットワークを示す構成図である。
【００３８】
図４に示すように、本発明による光無線リンクを通じてＷ-ＬＡＮと３Ｇ移動通信網とを連動させるためのネットワークは、既存の３Ｇ移動通信網において、光無線リンクを通じて、当該３Ｇ移動通信網の終端装置である基地局が、Ｗ-ＬＡＮシステムとの連動を遂行するものであり、ここで、３Ｇ移動通信網は、音声呼処理のための音声信号の処理網と、データ通信のためのパケットデータ網と、移動端末との通信のための終端装置と、を含む。
【００３９】
より詳細に説明すると、３Ｇ移動通信網で音声呼を処理するための音声信号処理網は、移動端末の基地局(ＢＴＳ)の変更や該移動端末の位置の変化に従った音声呼の接続（voice call connection）のために使用されるＨＬＲ（Home Location Register）４０９と、公衆電話網であるＰＳＴＮ(Public Switched Telephone Network)４０７と接続し、ＨＬＲ４０９の情報に従って音声呼を伝送するＭＳＣ(Mobile Switching Center)４０８と、を含む。
【００４０】
そして、移動端末にデータ伝送するためのパケットデータ網は、従来の３Ｇ移動通信網のパケットデータ網（図１のＡＡＡサーバ１０１及びＨＡ１０２、及び図２のＡＡＡサーバ２０１及びＨＡ２０２）と、Ｗ-ＬＡＮシステムのためのデータ網と、が結合された形態を有する。このため、パケットデータ網は、Ｗ-ＬＡＮシステム及びパケットデータ網に含まれる装置らのＩＰアドレスの管理を行うためのＤＨＣＰ(Dynamic Host Configuration Protocol)  ＷＬＡＮ−ＡＡＡサーバ(ＤＨＣＰサーバ)４０１と、３Ｇ移動通信網のパケットデータ網としての認証（ＡＡＡ）サーバ/ＨＡ４０５と、Ｗ-ＬＡＮサービスの提供のために認証（ＡＡＡ）サーバ/ＨＡ４０５と連動する３Ｇコアネットワーク４０３と、Ｗ-ＬＡＮサービスの要求によるデータ処理のために、３Ｇコアネットワーク４０３の経路とは別個の経路を有するルータ４０４と、を含み、これらがインターネット４０２に接続される構成を有する。パケットデータ網は、さらに、ＩＰを用いて３Ｇコアネットワーク４０３及びルータ４０４と接続され、パケット通信ネットワーク（ここでは図４の４０１，４０３，４０５のブロック）に接続するためのＰＤＳＮ４０６を含む。
【００４１】
ここで、ルータ４０４は、必須の構成要素ではなく、Ｗ-ＬＡＮシステムとの連動によって増加する３Ｇコアネットワーク４０３の負荷を減少するために追加されるものである。
【００４２】
また、パケットデータ及び音声呼データを移動端末に伝送するための、連動ネットワークの終端装置は、ＰＤＳＮ４０６に接続され、複数のＢＴＳ４１１-１〜４１１-ｎを制御するＢＳＣ(Ｂａｓｅ  Ｓｔａｔｉｏｎ  Ｃｏｎｔｒｏｌｌｅｒ)４１０と、ＢＳＣ４１０に接続され、無線信号（すなわち図４の「３Ｇ信号」）を使用して、移動端末に対して音声通信或いはデータ通信のための接続を遂行する、複数のＢＴＳ(基地局装置)４１１-１乃至４１１-ｎと、ＢＴＳ４１１-１〜４１１-ｎに光無線リンクを介して接続され、かつ、移動端末に対して、無線信号（すなわち図４の「Ｗ-ＬＡＮ信号」）を使用してＷ-ＬＡＮサービスを提供するＷ-ＬＡＮ ＡＰ４１２-１１，４１２-１２乃至４１２-ｎ１，４１２-ｎ２と、を含む。
【００４３】
図４に示す本実施形態の光無線リンクを通じたＷ-ＬＡＮ及び３Ｇ移動通信網を連動するネットワークの動作は、次の通りである。
【００４４】
まず、移動端末への音声呼の伝送については、従来の３Ｇ移動通信網での信号伝送と同一の流れ（フロー）を有する。したがって、移動端末により要求された音声呼は、ＢＴＳ４１１-１〜４１１-ｎ及びこれらＢＴＳ４１１-１〜４１１-ｎを制御するＢＳＣ４１０を経て、さらに、ＨＬＲ４０９と連動されるＭＳＣ４０８を通じて、ＰＳＴＮ４０７と接続される。
【００４５】
一方、移動端末とのデータ通信については、加入者の移動端末で従来の３Ｇ移動通信網と同様にＢＴＳを通じてデータを送受信する場合のみならず、ＢＴＳを通じてのデータの送受信中に当該移動端末がホットスポット(Ｈｏｔ  Ｓｐｏｔ)領域（「ホットスポット」は登録商標、以下同じ。）に移動する場合においても、移動端末に提供されるＷ-ＬＡＮサービスを通じてデータ送受信の維持が可能な連動構造が要求される。このような連動構造に関しては、図５を参照して、より詳細に説明する。
【００４６】
図５は、本発明の実施形態による光無線リンクを通じてＷ-ＬＡＮ及び３Ｇ移動通信網を連動させるためのネットワークの、ＢＴＳの構造を示す構成図である。
【００４７】
図５に示すように、本実施形態によるネットワークのＢＴＳ構造では、一つの３Ｇ移動通信網のＢＴＳ４１１-１に対して２つのＷ-ＬＡＮ  ＡＰ４１２-１１，４１２-１２が、光無線リンクを介して接続される。音声接続とデータ通信とが含まれた３Ｇ移動通信サービスは、３Ｇ移動通信網のＢＴＳ４１１-１に含まれた移動通信用のための（既存の）アンテナを通じて、無線信号（３Ｇ信号）により提供される。一方、Ｗ-ＬＡＮサービスは、光無線リンクで接続されたＷ-ＬＡＮ ＡＰ４１２-１１，４１２-１２を通じて、無線信号（Ｗ-ＬＡＮ信号）により提供される。
【００４８】
この実施形態では、一のＢＴＳ（例えば図４のＢＴＳ４１１−１）に光無線リンクを介して接続された複数のＷ-ＬＡＮ ＡＰ（例えば図４のＷ-ＬＡＮ ＡＰ４１２-１１，４１２-１２）からは、相互に同じ無線信号（Ｗ-ＬＡＮ信号）が出力されるようになっており、その詳細については図５で後述する。なお、図４及び図５の例では、説明の便宜のために、一のＢＴＳに光無線リンクを介して２つのＷ-ＬＡＮ ＡＰが接続された構成を図示しているが、一のＢＴＳに（光無線リンクを介して）接続されるＷ-ＬＡＮ ＡＰの数については、特に限定されるものではない。すなわち、一のＢＴＳに接続されるＷ-ＬＡＮ ＡＰの数については、（一般に３Ｇ移動通信網のセル領域よりも狭い）Ｗ-ＬＡＮ  ＡＰのセル領域の広さの設定等の際に、各無線信号（すなわち電波）の送受信環境や送受信の出力等に応じて、任意の数のＷ-ＬＡＮ ＡＰを設けることができる。
【００４９】
このために、本実施形態による、光無線リンクを用いてＷ-ＬＡＮと３Ｇ移動通信網とを連動させるためのネットワークのＢＴＳ構造は、音声呼及びデータ通信のためにＢＳＣ４１０と接続され、３Ｇ移動通信を用いる移動端末との送信／受信を遂行する３Ｇ ＢＴＳ機能ブロック５１と、データ通信のためにＢＳＣ４１０と接続して、光無線リンクを通じて接続された複数のＷ-ＬＡＮ ＡＰ４１２（４１２-１１，４１２-１２）にデータを伝送するためのＷ-ＬＡＮ機能ブロック５２と、を含む。
【００５０】
ここで、Ｗ-ＬＡＮ機能ブロック５２は、本発明の「Ｗ-ＬＡＮシステム」を実行するための中核となるブロックであり、図５に示すように、スプリッタ(ｓｐｌｉｔｔｅｒ)５２１と、中間周波数（ＩＦ；Intermediate Frequency）生成器５２５-１，５２５-２と、中間周波数（ＩＦ）変調器５２２-１，５２２-２と、ＲＦ生成器５２６-１，５２６-２と、ＲＦ変調器５２３-１，５２３-２と、電光(Ｅ/Ｏ)変換器５２４-１，５２４-２と、を含む。
【００５１】
Ｗ-ＬＡＮ機能ブロック５２において、スプリッタ５２１は、データ通信のためにＢＳＣ４１０と接続され、ＢＳＣ４１０からのデータを分離し、分離後のデータを、ＩＦ変調器５２２-１とＩＦ変調器５２２-２とに出力する。中間周波数（ＩＦ）生成器５２５-１，５２５-２は、当該分離されたデータを変調するための中間周波数（ＩＦ）を生成し、生成したＩＦを、対応するＩＦ変調器５２２-１，５２２-２に出力する。各ＩＦ変調器５２２-１，５２２-２は、当該入力したＩＦを用いて、スプリッタ５２１からの分離されたデータを中間周波数変調（すなわち１次上方変換）し、変調後のデータを、対応するＲＦ変調器５２３-１，５２３-２に出力する。ＲＦ生成器５２６-１，５２６-２は、該中間周波数変調されたデータをＷ-ＬＡＮのためのＲＦ帯域に変調するための無線周波数（ＲＦ）を生成し、生成したＲＦを、対応するＲＦ変調器５２３-１，５２３-２に出力する。各ＲＦ変調器５２３-１，５２３-２は、当該入力したＲＦを用いて、対応するＩＦ変調器５２２-１，５２２-２から入力された、中間周波数変調されたデータを、Ｗ-ＬＡＮのためのＲＦ帯域に変調（すなわち最終上方変換）し、該変調後のデータを、対応する電光(Ｅ/Ｏ)変換器５２４-１，５２４-２に出力する。各電光(Ｅ/Ｏ)変換器５２４-１，５２４-２は、ＲＦ帯域に上方変換されたデータを電光(Ｅ/Ｏ)変換し、該変換後のデータを、光無線リンクを通じて、対応するＷ-ＬＡＮ  ＡＰ４１２-１１，４１２-１２に伝送する。
【００５２】
Ｗ-ＬＡＮ機能ブロック５２の動作をさらに明確になるように説明すると、Ｗ-ＬＡＮサービスの提供のためにＢＳＣ４１０からＢＴＳ４１１-１に供給されたパケットデータは、（３Ｇ ＢＴＳ機能ブロック５１とＷ-ＬＡＮ機能ブロック５２とに）分岐された後に、Ｗ-ＬＡＮ機能ブロック５２へと供給される。このパケットデータは、スプリッタ５２１を経て、ＩＦ(Ｉｎｔｅｒｍｅｄｉａｔｅ  Ｆｒｅｑｕｅｎｃｙ)ステージ（５２２-１，５２２-２，５２５-１，５２５-２）で１次上方変換(ｕｐ-ｃｏｎｖｅｒｔ)された後に、ＲＦステージ（５２３-１，５２３-２，５２６-１，５２６-２）でＷ-ＬＡＮサービスのためのＲＦ帯域に最終上方変換される。この最終上方変換されたデータは、電光変換器５２４-１によって電光変換された後に、光ファイバーを通過して、ホットスポット領域に設置されたＷ-ＬＡＮ ＡＰ４１２-１１，４１２-１２に伝送される。Ｗ-ＬＡＮ ＡＰ４１２-１１，４１２-１２は、受信された当該データを、（図３の光電変換器３３に対応する）光電(Ｏ/Ｅ)変換器５２７-１，５２７-２で光電変換した後に、移動端末にＷ-ＬＡＮによるデータサービスを提供する。また、Ｗ-ＬＡＮ機能ブロック５２は、３Ｇ ＢＴＳ機能ブロック５１からＧＰＳクロックを受信し、これをＷ-ＬＡＮサービスのためのＷ-ＬＡＮ機能ブロック５２の同期化クロックとして使用する。この同期化クロックは、システム全体の同期化を遂行するために使用される。
【００５３】
なお、Ｗ-ＬＡＮ機能ブロック５２は、移動端末からの無線信号を受信するための機能も担っているが、かかる受信動作については図５の回路構成で実行可能であり、上述した送信時の動作と信号の流れが逆になるだけなので、その詳細な説明を省略する。
【００５４】
次に、３Ｇ ＢＴＳ機能ブロック５１について、図６を参照して説明する。
【００５５】
図６は、図５に示したＢＴＳ構造の内の３Ｇ ＢＴＳ機能を説明するための詳細ブロック構成図である。
【００５６】
図６に示すように、本発明の実施形態で用いられる３Ｇ ＢＴＳ機能ブロック５１は、従来の３Ｇ移動通信網のＢＴＳと同一の機能を遂行する部分であり、基底帯域（ベースバンド）処理部６００と無線（ＲＦ）処理部６１０とを含んでなる。
【００５７】
より詳しくは、ＢＳＣ４１０から伝送された、音声呼及びデータ通信のための信号は、基底帯域処理部６００でＣＤＭＡ（Code Division Multiple Access）信号に変調された後に、ＲＦ処理部６１０を通じて移動端末に伝送される。一方、無線処理部６１０を通じて入力された、移動端末からの信号は、基底帯域処理部６００でＣＤＭＡ復調された後に、ＢＳＣ４１０に伝送される。
【００５８】
このために、より詳細な構成について説明すると、基底帯域処理部６００は、ＢＳＣ４１０との接続のためのインターフェースユニット６１と、移動端末に下方接続するためにＣＤＭＡ変調を遂行し、ＢＳＣ４１０に上方接続するためにＣＤＭＡ復調を遂行する変復調部６２と、を含む。
【００５９】
一方、ＲＦ処理部６１０は、変復調部６２に接続され、無線接続のための処理を遂行するトランシーバユニット６３と、トランシーバユニット６３からデータを受信し、該データを移動端末に送信するＲＦユニット６５と、移動端末から受信されたデータを２個のアンテナを通じて受信し、この受信されたデータをトランシーバユニット６３に伝送するＬＮＡ(Ｌｏｗ  Ｎｏｉｓｅ  Ａｍｐｌｉｆｉｅｒ)６４と、システムの同期化のための同期クロックを生成し、該クロックをＧＰＳアンテナを通じて送出するＧＰＳユニット６６と、を含む。
【００６０】
本発明の実施形態では、３Ｇ移動通信網とＷ-ＬＡＮシステムの連動のための認証情報及び課金情報の交換のために、既存の３Ｇ網のＰＤＳＮ４０６とＢＳＣ４１０とが共有される構成となっている。加えて、３Ｇ移動通信網とＷ-ＬＡＮシステムとの連動によって生じるトラフィック(ｔｒａｆｆｉｃ)増加による３Ｇシステムの不安定性を除去するために、３Ｇコアネットワーク４０３とは異なる経路（パス）を有するルータ４０４を備えたＷ-ＬＡＮデータ経路（パス）が構成される。さらに、従来の３Ｇ移動通信網のＢＴＳ構造に、遠隔アンテナ(ｒｅｍｏｔｅ  ａｎｔｅｎｎａ)構造のＷ-ＬＡＮ  ＡＰらを光無線(ＲｏＦ)リンクを介して結合することによって、３Ｇ移動通信網とＷ-ＬＡＮシステムについてのサービスが、単一のＢＴＳを介して同時に提供することが可能になる。
【００６１】
図７は、本発明の第１の実施形態により、光無線リンクを通じてＷ-ＬＡＮ及び３Ｇ移動通信網を連動するネットワークでの、移動端末に対してのサービス連動を示すタイミング図である。
【００６２】
本発明による連動ネットワークでは、移動端末に対するサービス連動のための方法は、大きく２つに分けられる。一つは、移動端末が３Ｇ移動通信網からＷ-ＬＡＮシステムに移動する場合の連動であり、他の一つは、移動端末がＷ-ＬＡＮシステムから３Ｇ移動通信網に移動する場合の連動である。
【００６３】
図７は、移動端末が３Ｇ移動通信網のセル領域からＷ-ＬＡＮシステムのＷ-ＬＡＮ  ＡＰ領域（Ｗ-ＬＡＮ  ＡＰのセル領域をいう、以下同じ。）へとネットワーク間の移動を行う場合の連動に関する動作を説明するための図である。
【００６４】
図７に示すように、移動端末であるユーザー端末機７１がＷ-ＬＡＮシステムによるＷ-ＬＡＮ  ＡＰ領域にアクセスするときに、Ｗ-ＬＡＮを通じて３Ｇ移動通信網から提供されたデータサービスを受容するように、ユーザー端末機７１とＢＴＳ/ＡＰ７２との間のシステム連動が、設定(ｓｅｔｕｐ）される(ステップＳ７０１)。そして、ユーザー端末機７１とＢＴＳ/ＡＰ７２との関連付け(Ａｓｓｏｃｉａｔｉｏｎ）がなされると(ステップＳ７０２)、８０２．１ｘプロトコルによるＷ-ＬＡＮ接続要求に応答して、ユーザー端末機７１とＢＴＳ/ＡＰ７２との間の通信が設定（確立）される(ステップＳ７０３)。このときに、ＩＰアドレス管理のための接続要求がＢＴＳ/ＡＰ７２を通じて（図４のＤＨＣＰ  Ｗ-ＬＡＮ−ＡＡＡサーバ（ＤＨＣＰサーバ）４０１と等価な）ＤＨＣＰ/ＡＡＡサーバ７５に伝送され、この接続要求に対する応答が受信されることによって、８０２．１ｘプロトコルによる接続が遂行される(ステップＳ７０４)。
【００６５】
そして、ＤＨＣＰ要求及びその応答は、ステップＳ７０５でＰＤＳＮ７３によって受信され、さらに、認証要求及びその応答も、ステップＳ７０６でＰＤＳＮ７３によって受信される。以上の過程を通じて認証及び保安（セキュリティ）の過程が完了すると、ＤＨＣＰ/ＡＡＡサーバ７５は、ＰＤＳＮ７３を通じてＷ-ＬＡＮシステムによる課金を開始し(ステップＳ７０７)、Ｗ-ＬＡＮシステムによるデータの伝送が、ユーザー端末機７１に対して遂行される(ステップＳ７０８)。
【００６６】
図８は、本発明の第２の実施形態により、光無線リンクを通じてＷ-ＬＡＮ及び３Ｇ移動通信網を連動するネットワークでの、移動端末に対してのサービス連動を示すタイミング図である。
【００６７】
図８は、移動端末がＷ-ＬＡＮシステムから移動通信網に移動する場合の連動に関する動作を説明するための図である。 
【００６８】
図８に示すように、移動端末であるユーザー端末機８１がＷ-ＬＡＮ  ＡＰ領域から外れて３Ｇ移動通信網のセル領域にアクセスするときには、そのユーザー端末機８１の移動が、当該移動端末機の要求に基づいて、ＰＤＳＮ８３を通じて３Ｇ移動通信網のＨＡ８５に通知され、かつ、ユーザー端末機８１に３Ｇ移動通信網からのデータサービスを提供するために、ＢＴＳを通じてＢＳＣとのパケットデータ網を用いるためのチャンネル設定を遂行する(ステップＳ８０１)。ＢＳＣ８２は、チャンネル設定により、ＰＤＳＮ８３を通じてＡＡＡサーバ８４にデータを伝送し(ステップＳ８０２)、ＡＡＡサーバ８４に接続要求を伝送するとともに、該要求に対するＡＡＡサーバ８４からの応答を受信する(ステップＳ８０３)。
【００６９】
この接続要求が受け入れられると、ユーザー端末機８１とＰＤＳＮ８３との間で、ＰＰＰ(Ｐｏｉｎｔ-ｔｏ-Ｐｏｉｎｔ  Ｐｒｏｔｏｃｏｌ)認証を通じての接続がなされる(ステップＳ８０４)。そして、ＰＰＰ認証による接続が完了されると、ユーザー端末機８１は、ＰＤＳＮ８３を通じてＡＡＡサーバ８４に３Ｇ移動通信網のパケットデータ網の使用に関する認証を要求し、該要求に対する応答を受信する(ステップＳ８０５)。これによって、３Ｇ移動通信網に関する認証及び保安（セキュリティ）の過程が完了する。以上の過程を通じて認証及び保安の過程が完了すると、ＡＡＡサーバ８４は、ＰＤＳＮ８３を通じて３Ｇ移動通信網のパケットデータ網による課金を開始する(ステップＳ８０６)。そして、ＡＡＡサーバ８４は、３Ｇ移動通信網のパケットデータ網を通じて、ユーザー端末機８１にデータを伝送する(ステップＳ８０７)。 
【００７０】
上述したような本発明を適用した方法は、プログラムとして具体化することが可能であり、該プログラムは、コンピュータから読み取られる形態で各種の記録媒体(例えば、ＣＤ-ＲＯＭ、ＲＡＭ、フレキシブルディスク、ハードディスク、光磁気ディスク、など)に格納されることができる。 
【００７１】
以上、本発明の具体的な実施形態に関して詳細に説明したが、本発明の範囲を外れない限り、様々な変形が可能であることは、当該技術分野における通常の知識を持つ者には自明なことであろう。したがって、本発明の範囲は、上述した実施形態に限定されるものではなく、特許請求の範囲及びこの特許請求の範囲と均等なものに基づいて定められるべきである。
【図面の簡単な説明】
【００７２】
【図１】従来の密結合連動方式のＷ-ＬＡＮシステムと３Ｇシステムの連動網を示す構成図である。
【図２】従来の疎結合の連動方式のＷ-ＬＡＮシステムと３Ｇシステムの連動網を示す構成図である。
【図３】本発明の実施形態による無線信号の伝送のための光無線(ＲｏＦ)リンクを示す構成図である。
【図４】本発明の実施形態により、光無線リンクを通じてＷ-ＬＡＮ及び３Ｇ移動通信網を連動するネットワークを示す構成図である。
【図５】本発明の一実施形態により、光無線リンクを通じてＷ-ＬＡＮ及び３Ｇ移動通信網を連動するネットワークのＢＴＳ構造を示す構成図である。
【図６】図５によるＢＴＳ構造の３Ｇ ＢＴＳ機能を示す詳細構成図である。
【図７】本発明の第１の実施形態により、光無線リンクを通じてＷ-ＬＡＮ及び３Ｇ移動通信網を連動するネットワークにおける、移動端末に対するサービス連動を説明するためのタイミング図である。
【図８】本発明の第２の実施形態により、光無線リンクを通じてＷ-ＬＡＮ及び３Ｇ移動通信網を連動するネットワークにおける、移動端末に対するサービス連動を説明するためのタイミング図である。
【符号の説明】
【００７３】
４０７  公衆電話網(ＰＳＴＮ)
４０８、４０９  音声信号処理網
４１０、４１１−１〜ｎ  ３Ｇ移動通信網の終端装置
４１０  基地局制御装置(ＢＳＣ)
４１１（４１１−１〜ｎ）  基地局装置(ＢＴＳ)
４１０、４１１−１〜ｎ、４１２−１１，１２〜ｎ１，ｎ２  連動ネットワークの終端装置
４１２（４１２−１１，１２〜ｎ１，ｎ２）  Ｗ-ＬＡＮ  ＡＰ(Ａｃｃｅｓｓ  Ｐｏｉｎｔ)
４０１、４０３〜４０６  パケットデータ網（データ通信のためのパケットデータ網）
７５，４０１  ＤＨＣＰ  Ｗ-ＬＡＮ−ＡＡＡサーバ（ＤＨＣＰサーバ）
４０３  ３Ｇコアネットワーク
４０４  ルータ
４０５  認証(ＡＡＡ；Ａｕｔｈｅｎｔｉｃａｔｉｏｎ，Ａｕｔｈｏｒｉｚａｔｉｏｎ，ａｎｄ  Ａｃｃｏｕｎｔｉｎｇ)サーバ/ＨＡ(Ｈｏｍｅ  Ａｇｅｎｔ)  （３Ｇ移動通信網のパケットデータ網）
４０６  ＰＤＳＮ(Ｐａｃｋｅｔ  Ｄａｔａ  Ｓｅｒｖｉｃｅ  Ｎｏｄｅ)
７１，８１  ユーザー端末機（移動端末）
７４  ルータ
７５  ＤＨＣＰ/ＡＡＡサーバ
【図１】
2006229991.tif 000003
【図２】
2006229991.tif 000004
【図３】
2006229991.tif 000005
【図４】
2006229991.tif 000006
【図５】
2006229991.tif 000007
【図６】
2006229991.tif 000008
【図７】
2006229991.tif 000009
【図８】
2006229991.tif 000010